(57)【要約】      （修正有）【課題】全繰出し工程中に、紡績コップ保持体に対する紡績コップの正確かつ確実な方向付けを保証する紡績コップ収容ユニットを提供する。【解決手段】紡績コップを同軸に収容するように形成されたピンを備えた紡績コップ保持体と、繰出し位置において紡績コップと係合することができる、クランプユニットのクランプエレメントを備えた位置決め装置と、が設けられている、巻取り機および巻取り機用の紡績コップ収容ユニットに関する。繰出し位置における紡績コップの確実な位置決めおよび方向付けを可能にする、紡績コップ収容ユニット、もしくは巻取り機の、紡績コップ収容ユニットを有する巻取りユニットを提供するために、クランプユニットは、クランプエレメントが繰出し位置において、ピンの縦軸方向において作用する、紡績コップに伝達可能な圧着力であって、端面をガイド面に圧着させる圧着力を加えるように構成されている。【選択図】図１
2020093930.tif 000002
【特許請求の範囲】
【請求項１】
巻取り機用の紡績コップ収容ユニットであって、
−紡績コップを同軸に収容するように形成されたピンを備えた紡績コップ保持体と、
−繰出し位置において前記紡績コップと係合することができる、クランプユニットのクランプエレメントを備えた位置決め装置と、
が設けられており、
前記紡績コップ保持体は、前記ピンに隣接するガイド面において、前記紡績コップの端面と接触することができる、紡績コップ収容ユニットにおいて、
前記クランプユニット（４）は、前記クランプエレメント（５）が前記繰出し位置において、前記ピン（１１）の縦軸方向に沿って作用する、前記紡績コップ（２）に伝達可能な圧着力であって、前記端面（７）を前記ガイド面（６）に圧着させる圧着力を加えるように、構成されている
ことを特徴とする、紡績コップ収容ユニット。
【請求項２】
前記クランプエレメント（５）は、ヘッド円錐と前記紡績コップ保持体（３）との間の領域において、前記紡績コップ（２）の自由な周面（１０）に接触可能である、
請求項１記載の紡績コップ収容ユニット。
【請求項３】
前記ガイド面（６）および前記端面（７）は、前記紡績コップ（２）が前記繰出し位置において前記紡績コップ保持体（３）のベースプレート（８）の底面（１２）に対して垂直に方向付けられるように、構成されている、
請求項１または２記載の紡績コップ収容ユニット。
【請求項４】
前記端面（７）および前記ガイド面（６）は、前記底面（１２）に対して平行に方向付けられている、
請求項１から３までのいずれか１項または複数項記載の紡績コップ収容ユニット。
【請求項５】
前記クランプユニット（４）は、複数の、好ましくは４つの、特に好ましくは３つの、特に２つのクランプエレメント（５）を有しており、該クランプエレメント（５）は、前記繰出し位置において、前記周面（１０）の周囲にわたって均等な間隔をおいて分配されて、前記周面（１０）に接触可能である、
請求項１から４までのいずれか１項または複数項記載の紡績コップ収容ユニット。
【請求項６】
前記クランプユニット（４）は、前記クランプエレメント（５）を前記繰出し位置において前記周面（１０）に圧着させる予荷重エレメント、特にばねエレメントを有している、
請求項１から５までのいずれか１項または複数項記載の紡績コップ収容ユニット。
【請求項７】
前記予荷重エレメント、特にばねエレメントは、調節可能である、
請求項１から６までのいずれか１項または複数項記載の紡績コップ収容ユニット。
【請求項８】
前記クランプエレメント（５）は、前記クランプエレメントの接触面が前記繰出し位置への移動時に前記ベースプレート（８）に向かって移動させられるように、前記ガイド面（６）に対して斜めに方向付けられている、
請求項１から７までのいずれか１項または複数項記載の紡績コップ収容ユニット。
【請求項９】
前記接触面は、２つ以上の接触点を有していて、特にプリズム状に形成されている、
請求項１から８までのいずれか１項または複数項記載の紡績コップ収容ユニット。
【請求項１０】
前記クランプユニット（４）は、前記クランプエレメント（５）の前記繰出し位置が調節可能であり、かつ／または前記クランプエレメント（５）が互いに無関係に前記繰出し位置に移動可能であるように構成されている、
請求項１から９までのいずれか１項または複数項記載の紡績コップ収容ユニット。
【請求項１１】
巻取り機の巻取りユニットであって、紡績コップを繰出し位置において位置決めするための紡績コップ収容ユニットを有している、巻取りユニットにおいて、
前記紡績コップ収容ユニット（１）は、請求項１から１０までのいずれか１項または複数項記載のように構成されている
ことを特徴とする、巻取りユニット。
【発明の詳細な説明】
【技術分野】
【０００１】
本発明は、巻取り機、および巻取り機用の紡績コップ収容ユニットであって、
−紡績コップを同軸に収容するように形成されたピンを備えた紡績コップ保持体と、
−繰出し位置において紡績コップと係合することができる、クランプユニットのクランプエレメントを備えた位置決め装置と、
が設けられており、
このとき紡績コップ保持体は、ピンに隣接するガイド面において、紡績コップの端面と接触することができる、巻取り機、および巻取り機用の紡績コップ収容ユニットに関する。
【０００２】
自動式の巻取り機の巻取りユニットにおいて、給糸ボビン、例えばリング精紡機において製造された、比較的僅かな糸体積を有する紡績コップが、大きな体積の綾巻きパッケージに巻き返される。このとき紡績コップは、鉛直に起立するように、紡績コップ保持体の、台から垂直に突出するピンに装着されていて、かつ紡績コップ保持体用の搬送システムを介して巻取り機の巻取りユニットに搬送される。
【０００３】
糸がいわゆる糸バルーンを形成しながら、紡績コップのほぼ軸方向において紡績コップのヘッドを介して引き出される、巻返し工程中に、糸には糸引張り力が加えられ、このような糸引張り力は、最終的に糸の引出し速度を、ひいては巻取り機の巻取り速度を制限する。紡績コップにおける糸層の直径の減少に連れて、全紡績コップは、小さくかつ軽くなり、このとき上方に向かって引き出される糸における引張り力は、またさらに、紡績コップを上方に向かって引っ張るように作用し、これによって、紡績コップが最終的に紡績コップ保持体のピンから引き出されることが生じ得る。例えば巻取り中における糸の引っ掛かりによって惹起される、紡績コップ保持体からの紡績コップの解離を阻止するために、紡績コップを繰出し位置においてクランプすることが公知であり、このとき紡績コップは、糸層の下において半径方向でクランプされる。独国特許出願公開第４２３６０３８号明細書に基づいて例えば、コップ基部に外側からクランプエレメントを接近させて、上方に向けられた鉛直方向力の作用時に、紡績コップを紡績コップ保持体のピンに固定できるようにすることが公知である。
【０００４】
しかしながら紡績コップ基部を半径方向にクランプすることは、紡績コップの中心軸線が定義されて鉛直に方向付けられていること、かつこれによって紡績コップの、紡績コップ保持体とは反対側の先端の位置が正確であるということを保証しない。巻取り機における繰出し位置への紡績コップ保持体の導入時における紡績コップのダイナミクスによって、かつ／またはクランプエレメントの平行ずれによって、紡績コップが斜めにクランプされることがある。紡績コップの、これによって生じる誤った方向付けは、特に巻取り機においていわゆる引出し加速器が使用される場合に、糸切れのおそれを著しく高める。
【０００５】
ゆえに本発明の第１の態様は、巻取り機用の紡績コップ収容ユニットであって、紡績コップを同軸に収容するように形成されたピンを備えた紡績コップ保持体と、繰出し位置において紡績コップと係合することができる、クランプユニットのクランプエレメントを備えた位置決め装置と、が設けられており、このとき紡績コップ保持体は、ピンに隣接するガイド面で、紡績コップの端面と接触することができる、巻取り機用の紡績コップ収容ユニットに関する。
【０００６】
提案された紡績コップ収容ユニットは、クランプユニットが、クランプエレメントが繰出し位置において、ピンの縦軸方向に沿って作用する、紡績コップに伝達可能な圧着力であって、紡績コップの端面を紡績コップ保持体のガイド面に圧着させる圧着力を加えるように、構成されている、ことによって傑出している。
【０００７】
紡績コップを、巻取り機におけるその繰出し位置に搬送するために、紡績コップはそれぞれ紡績コップ保持体のピンに装着され、次いで紡績コップ保持体は、搬送システムを用いて繰出し位置に走行させられる。紡績コップ保持体における紡績コップの位置固定および方向付けのために、本発明によれば、紡績コップ収容ユニットのクランプユニットはクランプエレメントを有しており、このクランプエレメントは、その繰出し位置において、紡績コップ保持体に配置された紡績コップと係合することができ、かつこのとき紡績コップに、ピンの縦軸方向において紡績コップ保持体に向かって方向付けられている力を伝達する。クランプエレメントによって惹起された圧着力によって、紡績コップの端面は紡績コップ保持体のガイド面に圧着させられ、これによってガイド面および端面の方向付けによって、紡績コップ保持体における紡績コップの確実な方向付けが達成される。
【０００８】
これによりガイド面および端面の互いに合わせられた構成によって、紡績コップを、特に確実な形式で、特に好ましくは紡績コップ保持体の底面に対して垂直に方向付けることができ、紡績コップ保持体自体は、例えば巻取り機の機械架台のベースプレートを介して支持されている。紡績コップからの確実な糸引出しを保証するために、このときクランプエレメントの、ピンの軸方向において作用する力成分は、クランプエレメントと紡績コップとの間における静止摩擦力よりも大きくない。
【０００９】
これによって全体として、紡績コップ収容ユニットの本発明に係る構成は、全繰出し工程中に、紡績コップ保持体に対する紡績コップの正確かつ確実な方向付けを保証し、これによって巻取り機の支障のない作動が保証されている。
【００１０】
クランプエレメントの繰出し位置におけるクランプエレメントと紡績コップとの間における共働は、繰出し工程中における紡績コップからの糸の支障のない繰出しが保証されている限り、基本的に紡績コップの任意の位置において行うことができる。しかしながら本発明の特に好適な構成によれば、クランプエレメントは、ヘッド円錐と紡績コップ保持体との間の領域において、紡績コップの自由な周面に接触可能であることが提案されている。本発明のこの構成は、ガイド面への端面を介した紡績コップの特に確実な圧着を保証し、このとき同時に適宜な材料対を介して、大きな力成分の軸方向における作用時にも同時に紡績コップ保持体における紡績コップの自由な回転が行われ得ることを保証することができる。クランプエレメントが糸走路との外側の領域に配置されている、本発明のこの好適な発展形態は、糸走路がクランプエレメントによって影響を受けないということを特に確実に保証する。
【００１１】
ガイド面および端面の構成、ならびにガイド面および端面の方向付けは、紡績コップ保持体における紡績コップの所望の方向付けを得るために、基本的に任意の形式で行うことができ、このとき通常、紡績コップが紡績コップ保持体に対して垂直に延びている方向付けを獲得することが望ましい。このとき本発明の特に好適な構成によれば、ガイド面および端面は、紡績コップが繰出し位置において紡績コップ保持体のベースプレートの底面に対して垂直に方向付けられるように構成されていることが提案されている。
【００１２】
相応の構成は、特に支障のない巻取り工程を可能にし、このとき紡績コップの、底面に対して垂直に行われる方向付けは、特に、端面およびガイド面が、底面に対して平行に方向付けられているこれによって、達成される。この構成は、紡績コップ保持体および紡績コップにおいて特に簡単かつ安価に製造することができ、かつ特別な程度で、紡績コップが繰出し位置において、紡績コップ保持体がその底面を介して支持されているベース面に対して垂直に延びていることを保証する。
【００１３】
クランプエレメントを備えたクランプユニットの構成は、クランプエレメントの、紡績コップにおける接触面、好ましくは、紡績コップの自由な周面、および解放位置から繰出し位置へのクランプエレメントの移動の形式を含めて、基本的に自由に選択可能である。しかしながら本発明の特に好適な構成によれば、クランプユニットは、複数の、好ましくは４つの、特に好ましくは３つの、特に２つのクランプエレメントを有しており、該クランプエレメントは、繰出し位置において、周面の周囲にわたって互いに均等な間隔をおいて分配されて、周面に接触可能である。
【００１４】
このとき２つ以上のクランプエレメントの使用は、紡績コップをその中心位置において巻取りユニットの下で正確にセンタリングすることを可能にする。さらに少なくとも２つのクランプエレメントは、両側における等しい形状の開放動作を可能にし、このことは、種々様々なコップ直径における中心位置の簡単な適合を可能にする。さらにクランプエレメントの、全周にわたって均等に分配された配置形態は、均等な圧着力を、ひいては接触面における端面の均等な接触を保証する。
【００１５】
クランプエレメントから紡績コップに伝達される圧着力を生ぜしめるためには、基本的に任意の装置を使用することができる。そのためには例えば、クランプエレメントを紡績コップの方向に移動可能であるねじ装置が考えられる。しかしながら本発明の特に好適な構成によれば、クランプユニットは、クランプエレメントを繰出し位置において周面に圧着させる予荷重エレメント、特にばねエレメントを有していることが提案されている。
【００１６】
予荷重エレメント、特にばねエレメントの使用は、圧着力を快適な形式で極めて正確に、所望の圧着力に適合させることができ、このとき戻りばね力によって、圧着力が予め設定された値を上回らないことが保証されていることが提案されている。このとき本発明の特に好適な構成によれば、予荷重エレメント、特にばねエレメントは、調節可能であり、これによって種々様々な作動条件、例えば種々様々な紡績コップへの紡績コップ収容ユニットの適合を、簡単な形式で可能にすることができる。予荷重エレメントとして圧縮コイルばねを使用すると、例えば調節可能な予荷重長さによって、紡績コップに作用する圧着力を、簡単な形式で決定することができる。
【００１７】
クランプエレメントから紡績コップへの軸方向における圧着力の伝達は、基本的に任意の形式で、例えば紡績コップの周面とのクランプエレメントの接触面の適宜な構成によって行うことができ、このときクランプエレメントはその繰出し位置において、軸方向で紡績コップ保持体に向かって作用する圧着力を生ぜしめる。例えば周面の異形成形が、クランプエレメントの接触面における接触エレメントとの共働時に相応の圧着力が繰出し位置において生ぜしめられるようになっていることも考えられる。
【００１８】
しかしながら本発明の特に好適な構成によれば、１つもしくは複数のクランプエレメントは、クランプエレメントの接触面が繰出し位置への移動時にベースプレートに向かって移動させられるように、ガイド面に対して斜めに方向付けられていることが提案されている。本発明のこの構成によれば、複数もしくは１つのクランプエレメントは、これらのもしくはこのクランプエレメントが、ピンの長手方向軸線に対して斜めに延びている、解放位置と繰出し位置との間における移動軌道において移動するように、紡績コップの周面もしくは紡績コップ保持体に向かって方向付けられており、これによって繰出し位置に向かう移動時にクランプエレメントの移動運動は、紡績コップ保持体への長軸方向における運動成分を形成し、その結果紡績コップは、繰出し位置においてその端面で、紡績コップ保持体のガイド面に圧着させられる。本発明のこの構成によって、特に簡単な形式で、軸方向に作用する力成分を生ぜしめることができる。
【００１９】
クランプエレメントが、紡績コップに、好ましくは紡績コップの周面に接触している、クランプエレメントの接触面は、基本的に任意の形式で構成されていてよい。例えば、接触面が面状にまたは線形状に周面に接触しているように接触面を形成するという可能性がある。本発明の特に好適な構成によれば、接触面は、２つ以上の接触点を有していて、特にプリズム状に形成されていることが提案されている。本発明のこの構成は、紡績コップ保持体における紡績コップの特に確実なセンタリングを可能にする。さらに、確実な係止時に、紡績コップからの糸の支障のない繰出しが達成される。
【００２０】
さらに本発明の別の構成によれば、クランプユニットは、クランプエレメントの繰出し位置が調節可能であり、かつ／またはクランプエレメントが互いに無関係に繰出し位置に移動可能であるように構成されていることが提案されている。本発明のこの構成は、１つまたは複数のクランプエレメントを介して、特に確実かつ簡単な形式で、紡績コップ保持体における紡績コップの中心位置を生ぜしめることができる。同時に、互いに無関係に発生する移動は、空になった紡績コップを紡績コップ保持体から取り出しかつ満管の紡績コップを紡績コップ保持体に配置することができる、解放位置へのクランプエレメントの迅速かつ簡単な移動を可能にする。
【００２１】
本発明の第２の態様は、巻取り機の巻取りユニットであって、このとき紡績コップを繰出し位置において位置決めするための紡績コップ収容ユニットを有している、巻取りユニットに関する。
【００２２】
提案された巻取りユニットは、紡績コップ収容ユニットが、上に記載された構成のうちの１つまたは複数の構成のように構成されていることによって傑出している。
【００２３】
このような巻取りユニットは、巻取り機において特に確実な形式で、正確に方向付けられた紡績コップが準備されることを保証する。傾けられた紡績コップに基づく糸切れは、本発明に係る巻取りユニットによって特に好適な形式で回避される。このとき重要なことは、紡績コップ収容ユニットのクランプユニットの少なくとも１つのクランプエレメントが、軸方向でピンの方向において作用する力成分によって紡績コップの端面が紡績コップ保持体のガイド面に圧着されるように、紡績コップ保持体のピンに配置された紡績コップに係合することができるということである。これによって端面およびガイド面の方向付けによって、巻取りユニットにおける紡績コップの確実な方向付けが達成される。
【００２４】
次に、図面を参照しながら本発明の２つの実施形態について説明する。
【図面の簡単な説明】
【００２５】
【図１】クランプユニットの第１実施形態を備えた、紡績コップ保持体に配置された紡績コップを、概略的に示す図である。
【図２】クランプユニットの第２実施形態を備えた、紡績コップ保持体に配置された紡績コップを、概略的に示す図である。
【００２６】
図１および図２には、巻取り機のここでは他の箇所が示されていない巻取りユニットの紡績コップ収容ユニット１が、概略的な図で示されている。
【００２７】
紡績コップ収容ユニット１は、紡績コップ保持体３を有しており、この紡績コップ保持体３は、巻取り機の、ここでは図示されていない搬送システムを介して、巻取りユニットにおいて繰出し位置に移動可能である。紡績コップ２を収容するためにピン１１が働き、このピン１１は、紡績コップ保持体３のベースプレート８に接続している台９から突出していて、かつこのピン１１には、紡績コップ２が装着されている。紡績コップ保持体３は、作動中、巻取りユニットにおいて、紡績コップ保持体３の底面１２を介して、巻取り機の機械架台に支持されている。
【００２８】
紡績コップ保持体３における紡績コップ２の方向付けのために、紡績コップ収容ユニット１はクランプユニット４を有しており、このクランプユニット４は、互いに向かい合って位置するように紡績コップ２の周面１０に接触している２つのクランプエレメント５を有している。図１および図２で繰出し位置において示されているクランプエレメント５であって、この繰出し位置において接触面をもって紡績コップ２の周面１０に接触しているクランプエレメント５によって、ピン１１の軸方向に沿って作用する力成分が生ぜしめられ、この力成分によって紡績コップ２は、端面７を介して、紡績コップ保持体３の台９のガイド面６に圧着させられる。これによって軸方向に作用する力成分により、紡績コップ２の確実な軸方向の方向付けが行われ、この場合、端面７およびガイド面６が底面１２に平行に方向付けられることにより、紡績コップ２は、紡績コップ保持体３の底面１２に対して垂直に延びることになる。
【００２９】
図１に示された実施形態において、軸方向に沿って紡績コップ保持体３に作用する力成分は、周面１０と接触するクランプエレメント５の接触面の相応の構成によって生ぜしめられる。クランプユニット４の、図２に示された実施形態では、クランプエレメント５はその傾けられた方向付けに基づいて、ここでは図示されていない解放位置から図２に示された繰出し位置への移動時に、軸方向の運動成分に基づいて軸方向の力を紡績コップ２に伝達する。
【符号の説明】
【００３０】
１  紡績コップ収容ユニット
２  紡績コップ
３  紡績コップ保持体
４ａ，４ｂ  クランプユニット
５  クランプエレメント
６  ガイド面
７  端面
８  ベースプレート
９  台
１０  周面
１１  ピン
１２  底面
【図１】
2020093930.tif 000003
【図２】
2020093930.tif 000004
【外国語明細書】
2020093930.tif 000005
2020093930.tif 000006
2020093930.tif 000007
2020093930.tif 000008
2020093930.tif 000009
2020093930.tif 000010
2020093930.tif 000011
2020093930.tif 000012
2020093930.tif 000013
2020093930.tif 000014
2020093930.tif 000015
2020093930.tif 000016
2020093930.tif 000017